(57)【要約】【課題】  防水性と通風性とを兼備し、しかも製作性に優れた、仮設屋根に利用可能な養生シートを提供する。【解決手段】  複数のシート片１２，１６，２０を、形成されるべき仮設屋根の流れ方向に隣り合って並べると共に、仮設屋根の頂部部位５２側に位置するシート片１２，１６の端部を、該頂部部位５２側とは反対側のシート片１６，２０の端部上に重ね合わせた状態下で、該隣り合うシート片１２，１６，２０の重合部２４，２８，３２，３６同士を、仮設屋根の流れ方向に延びる接合部にて接合せしめることにより、該隣り合うシート片１２，１６，２０の重合部２４，２８，３２，３６同士の間に、シート片１２，１６，２０の裏面側から表面側への通風を許容する通風口４０を設けて、構成した。【選択図】          図  ３
2005213988.tif 000002
【特許請求の範囲】
【請求項１】
防水性を有するシートからなり、未だ屋根のない建造中の建物に対して、水平に延びる頂部部位を境にして両側に流れる切妻構造を有する仮設の屋根を形成するように、該建物の上部を覆って配置せしめられることにより、該建物を風雨から保護する養生シートであって、
防水性を有するシート片の複数が、前記仮設屋根の形成状態下で、該仮設屋根が流れる方向に並べられ、且つかかる仮設屋根の流れ方向において隣り合うシート片のうち、該仮設屋根の前記頂部側部位に位置するシート片の端部が、該頂部側部位とは反対側に位置するシート片の端部の上に、該仮設屋根の流れ方向において所定長さもって重ね合わされて、配置されると共に、それら各シート片の重合部の幅方向の両端部側に、該隣り合うシート片を該重合部同士において接合する接合部が、該仮設屋根の流れ方向に延びるようにそれぞれ形成されることにより、該隣り合うシート片の重合部同士の間に、該シート片の裏面側から表面側への通風を許容する通風口が設けられた状態で、該複数のシート片の全てが隣り合うもの同士において接合されてなる接合シート部分を含んで構成されていることを特徴とする養生シート。
【請求項２】
前記防水性を有するシートの半分の部分の全体と、残りの半分の部分の全体とが、それぞれ、前記接合シート部分からなる第一接合シート部分と第二接合シート部分とされて、該第一接合シート部分にて、前記仮設屋根の前記頂部部位を境にして一方の側に流れる屋根部分が構成される一方、該第二接合シート部分にて、該仮設屋根の頂部部位を境にして他方の側に流れる屋根部分が構成されている請求項１に記載の養生シート。
【請求項３】
前記第一接合シート部分と前記第二接合シート部分の境界部位と、該第一接合シート部分における該境界部位側とは前記仮設屋根の流れ方向において反対側の端部部位と、該第二接合シート部分における該境界部位側とは前記仮設屋根の流れ方向において反対側の端部部位のそれぞれに対して、それら境界部位と各端部部位とを、他の部材に取り付けるための取付部の複数が、該仮設屋根の流れ方向に直角な方向において、互いに所定距離を隔てて点在するように設けられている請求項２に記載の養生シート。
【発明の詳細な説明】
【技術分野】
【０００１】
本発明は、養生シートに係り、特に、未だ屋根のない建造中の建物に対して、仮設の屋根を形成するのに好適に用いられる養生シートの新規な構造に関するものである。
【背景技術】
【０００２】
よく知られているように、家屋等の建物を建造する際には、先ず、基礎工事が行われ、その後、所定の柱等の構造躯体が建ち上げられた後、屋根葺き工事が行われて、建物が屋根で覆われる。また、施工方法によっては、建物全体が屋根で覆われるのが、基礎工事の完了後、床組み、床張り、及び壁組みを行った後となる場合もある。
【０００３】
このため、建造中の建物において、屋根が未完成なものにあっては、多くの場合、屋根が完成するまでの間、養生シートにて、仮設の屋根が形成されることとなる。即ち、従来では、防水性を備えた養生シートが、未だ屋根のない建造中の建物に対して、その建物の上部を覆うように配置された状態下で、かかる建物を取り囲んで設置される建築用足場の上端部等に取り付けられることにより、仮設屋根が形成され、以て、建造中の建物の柱や床、壁等が風雨に晒されることのないように、保護されるようになっているのである。
【０００４】
しかしながら、そのような仮設屋根として利用される従来の養生シートにあっては、一般に、防水性に優れた帆布やビニールシート等からなっているため、通風性に乏しく、それ故に、建物を覆って配置された状態下において、強風にあおられて、バタツキ音等の騒音を発生するといった欠点を有しており、また、場合によっては、吹き飛ばされてしまう恐れさえもあった。
【０００５】
かかる状況下、下記特許文献１には、防水性と通風性とを兼ね備え、上述の如き問題の解消を図るようにしたシートが、明らかにされている。即ち、このシートにあっては、防水性を有し、そして、その全面に、多数の通風孔が穿設されると共に、表面に、それら各通風孔を覆う可撓性フラップが、その少なくとも一辺において接着せしめられた状態で配設されることにより、各通風孔を通じて、シート裏面から表面への風の流れが許容されるように構成されている。
【０００６】
このようなシートを用いて、未だ屋根のない建造中の建物に仮設の屋根を形成した場合には、防水性を有すると共に、シート全面に設けられた各通風孔が可撓性フラップにて覆われているため、降雨時に、各通風孔を通じて、雨水がシートの裏側に浸入して、建物が雨水にて濡れるようなことが防止される。また、強風が吹いた際にも、可撓性フラップが捲れ上がって、その風が、各通風孔を通じて、シート裏面から表面に抜けるようになるため、シートが強風にあおられて、バタツキ音を発生せしめるようなことが可及的に抑制され、更には、シートが吹き飛ばされるようなことも、未然に防止され得るのである。
【０００７】
ところが、かくの如き構造を有するシートにあっては、その製作に際して、先ず、シートの全面に、適当な大きさの通風孔を多数穿設する一方、シートとは別部材からなる可撓性フラップを、多数の通風孔の個数に応じた数だけ準備し、そして、それら多数の可撓性フラップを、多数の通風孔の一つ一つに対応させて、シートの表面に接着するといった面倒で時間の掛かる作業を行わなければならず、それによって、シートの製作性が、著しく低下せしめられるといった新たな問題が惹起されていたのである。
【０００８】
【特許文献１】特開平１０−２２７１３３号公報
【発明の開示】
【発明が解決しようとする課題】
【０００９】
ここにおいて、本発明は、上述せる如き事情を背景にして為された者であって、その解決課題とするところは、防水性と通風性とを兼備し、建造中の建物の仮設屋根として極めて有利に利用可能な、製作性に優れた養生シートを提供することにある。
【課題を解決するための手段】
【００１０】
そして、本発明にあっては、かかる課題の解決のために、その第一の態様とするところは、防水性を有するシートからなり、未だ屋根のない建造中の建物に対して、水平に延びる頂部部位を界にして両側に流れる切妻構造を有する仮設の屋根を形成するように、該建物の上部を覆って配置せしめられることにより、該建物を風雨から保護する養生シートであって、防水性を有するシート片の複数が、前記仮設屋根の形成状態下で、該仮設屋根が流れる方向に並べられ、且つかかる仮設屋根の流れ方向において隣り合うシート片のうち、該仮設屋根の前記頂部部位側に位置するシート片の端部が、該頂部部位側とは反対側に位置するシート片の端部の上に、該仮設屋根の流れ方向において所定長さもって重ね合わされて、配置されると共に、それら各シート片の重合部の幅方向の両端部側に、該隣り合うシート片を該重合部同士において接合する接合部が、該仮設屋根の流れ方向に延びるようにそれぞれ形成されることにより、該隣り合うシート片の重合部同士の間に、該シート片の裏面側から表面側への通風を許容する通風口が設けられた状態で、該複数のシート片の全てが隣り合うもの同士において接合されてなる接合シート部分を含んで構成されていることを特徴とする養生シートにある。
【００１１】
また、このような本発明に従う養生シートの好ましい第二の態様においては、前記防水性を有するシートの半分の部分の全体と、残りの半分の部分の全体とが、それぞれ、前記接合シート部分からなる第一接合シート部分と第二接合シート部分とされて、該第一接合シート部分にて、前記仮設屋根の前記頂部部位を界にして一方の側に流れる屋根部分が構成される一方、該第二接合シート部分にて、該仮設屋根の頂部部位を界にして他方の側に流れる屋根部分が構成される。
【００１２】
さらに、本発明に従う養生シートの別の有利な第三の態様では、前記第一接合シート部分と前記第二接合シート部分の境界部位と、該第一接合シート部分における該境界部位側とは前記仮設屋根の流れ方向において反対側の端部部位と、該第二接合シート部分における該境界部位側とは前記仮設屋根の流れ方向において反対側の端部部位のそれぞれに対して、それら境界部位と各端部部位とを、他の部材に取り付けるための取付部の複数が、該仮設屋根の流れ方向に直角な方向において、互いに所定距離を隔てて点在するように設けられることとなる。
【発明の効果】
【００１３】
すなわち、本発明に従う養生シートにあっては、シートの裏面側から表面側への通風を許容する通風口を備えた接合シート部分を含んで構成されているところから、未だ屋根のない建造中の建物を覆って保護する仮設屋根として用いられた際に、強風にあおられても、その風が、各通風口を通じて、シート裏面側から表面側に抜けるようになるため、バタツキ音等の騒音の発生が抑制され得ると共に、シートが吹き飛ばされるようなことも、未然に防止され得る。
【００１４】
また、そのような通風口を備えた接合シート部分を与える複数のシート片が防水性を有していることに加えて、それら複数のシート片が、形成されるべき仮設屋根の流れ方向に並べられ、且つその仮設屋根の流れ方向において隣り合うシート片のうち、仮設屋根の頂部部位側に位置するシート片の端部が、かかる頂部部位側とは反対側に位置するシート片の端部の上に、仮設屋根の流れ方向において所定長さもって重ね合わされて、配置されているところから、隣り合うシート片の重合部同士が相互に接触せしめられることで、通風口が容易に閉塞せしめられ得る。
【００１５】
それ故、本発明に係る養生シートにおいては、仮設屋根として利用せしめられた状態下で、降雨時に、シート表面に降り注がれる雨水が、通風口を通じて、シート裏面側に容易に浸入せしめられることが有利に阻止され得、また、仮設屋根の頂部部位側から、シート片の表面を伝って流れ落ちる雨水が、通風口を経て、シート裏面側に流れ込むことも、効果的に防止され得る。そして、その結果として、建物が雨水によって濡れてしまうようなことが、有利に回避せしめられ得る。
【００１６】
しかも、かかる養生シートにおいては、上述の如く、形成されるべき仮設屋根の流れ方向において、端部同士が重なり合う状態で、互いに隣り合って配置された複数のシート片が、単に、重合部同士において部分的に接合されるだけで、それら複数のシート片からなる接合シート部分に対して通風口が形成されるようになっているところから、例えば、シートに多数の通風孔が穿設され、更に、それら各通風孔を覆う可撓性フラップが接着されてなる、先に詳述した従来シートとは異なって、少なくとも、シートに対する穿設作業を何等行うことなく、通風口（通風孔）が形成され得るようになっているのであり、それによって、製作に際して、シートに対する穿設作業が行われない分だけ、シート全体の製作のための手間と時間とが、従来シートに比して、有利に省略乃至は短縮され得る。
【００１７】
従って、このような発明に従う養生シートにあっては、高度な製作性をもって、優れた通風性と十分な防水性とが確実に具備せしめられ得るといった、従来シートでは到底得られない優れた特性が効果的に発揮され得るのであり、それによって、強風にあおられて、騒音を発生したり、吹き飛ばされたりするようなことなく、未だ屋根のない建造中の建物を風雨から確実に保護し得る仮設屋根として、極めて有利に利用され得ることとなるのである。
【００１８】
また、かかる本発明に従う養生シートの第二の態様によれば、かかる養生シートを用いて形成される切妻構造の仮設屋根が、頂部部位を界にして両側に流れる屋根部分のそれぞれに通風口が設けられて、それら各屋根部分において、裏側から表側に向かう風の流れが確実に且つ安定的に確保され得るように構成された切妻構造の仮設屋根を形成すること出来、それによって、かかる仮設屋根において、更に一層優れた通風性が発揮され得る。
【００１９】
さらに、本発明に従う養生シートの第三の態様によれば、例えば、仮設屋根にて保護されるべき建造中の建物の上方と両サイドに、水平に延びる支持部材等を設置し、それらの支持部材に対して、第一接合シート部分と前記第二接合シート部分の境界部位と、それら第一及び第二接合シート部分における境界部位側とは反対側の端部部位とに、それぞれ設けられた取付部を取り付けるようにすれば、両側の屋根部分に設けられた通気口により、更に優れた通風性が発揮される切妻構造の仮設屋根を、より安定した形状において、容易に形成することが可能となる。
【発明を実施するための最良の形態】
【００２０】
以下、本発明を更に具体的に明らかにするために、本発明に係る養生シートの構成について、図面を参照しつつ、詳細に説明することとする。
【００２１】
先ず、図１及び図２には、本発明に従う構造を有する養生シートの一例として、建造中の家屋の仮設屋根を形成するのに用いられる養生シートが、その正面形態と縦断面形態とにおいて、それぞれ概略的に示されている。それらの図から明らかなように、本実施形態の養生シート１０は、例えば、５枚のシート片１２，１４，１６，１８，２０が継ぎ合わされることにより、建造中の家屋の上部を覆い得る程の大面積を有する一枚の長手矩形シートとして、構成されている。
【００２２】
より具体的には、この養生シート１０を構成する５枚のシート片１２〜２０は、何れも、従来の養生シートを与える材料と同じ帆布やビニールシート等の防水性を備えた丈夫なシート材にて、構成されている。そして、それら５枚のシート片１２〜２０のうちの１枚が、養生シート１０の略１／３程度の面積を有する大型シート片１２とされている一方、残りの４枚が、かかる大型シート片１２の半分よりも所定量だけ大きな面積を有する小型シート片１４，１６，１８，２０とされている。また、大型シート片１２は、養生シート１０の長さ（図１中、上下方向の寸法）と同一の長さと、養生シート１０の幅（図１中、左右方向の寸法）に対して略１／３程度の大きさの幅を有する長手矩形状を呈しており、更に、４枚の小型シート片１４〜２０は、それぞれ、養生シート１０と同一の長さと、養生シート１０の幅の１／６よりも所定寸法大きな幅を有する細長い長手矩形状を呈している。
【００２３】
そして、大型シート片１２が、その幅方向を、養生シート１０の幅方向に対応させた状態で配置されている一方、４枚の小型シート片１４〜２０のうちの２枚の小型シート片１４，１６が、大型シート片１２の幅方向の両サイドに、それぞれ１枚ずつ、幅方向を養生シート１０の幅方向に対応させて、配置されている。また、そのような配置状態下で、大型シート片１２の幅方向両側の端部が、２枚の小型シート片１４，１６における大型シート片１２側の端部、つまり、各小型シート片１４，１６における養生シート１０の幅方向の内側に位置する内側端部の上に、かかる幅方向において所定長さをもって重ね合わされている。
【００２４】
一方、残りの２枚の小型シート片１８，２０は、大型シート片１２の両サイドに位置する２枚の小型シート片１４，１６の大型シート片１２側とは反対側、つまり、養生シート１０の幅方向外側に、それぞれ、幅方向を養生シート１０の幅方向に対応させて、配置されている。そして、そのような配置状態下において、４枚の小型シート片１４〜２０のうち、養生シート１０の幅方向内側に位置する２枚の小型シート片１４，１６における幅方向外側の端部が、それらの外側に位置する別の２枚の小型シート片１８，２０における幅方向内側の端部の上に、かかる幅方向において所定長さをもって重ね合わされている。
【００２５】
すなわち、ここでは、大型シート１２が、養生シート１０の中央部位を与えるように配置されており、そして、この大型シート片１２の幅方向一方側（図１中、左側）に、２枚の小型シート片１４，１８が、養生シート１０の幅方向一方側の端部部位を与えるように、その幅方向に並べられている一方、大型シート１２の幅方向他方側（図１中、右側）に、別の２枚の小型シート片１６，２０が、養生シート１０の幅方向他方側の端部部位を与えるように、その幅方向に並べられている。
【００２６】
また、そのような配置状態下において、大型シート片１２が、その幅方向両側の各端部からなる各重合部２２，２４において、大型シート片１２と隣り合う小型シート片１４，１６のそれぞれの内側端部からなる内側重合部２６，２８の上に重ね合わされる一方、かかる小型シート片１４，１６が、それぞれの外側端部からなる外側重合部３０，３２において、それら２枚の小型シート片１４，１６と隣り合う別の２枚の小型シート片１８，２０のそれぞれの内側端部からなる内側重合部３４，３６の上に、重ね合わされている。
【００２７】
そして、そのようにして、所定の重合部２２〜３６同士において重ね合わされて配置された５枚のシート片１２〜２０の表面上には、養生シート１０の幅と同じ長さ寸法と、狭い幅とを有する細長い補強テープ３８が、各シート片１２〜２０の長さ方向の両側端部と、それら両側端部の間に所定間隔を隔てて位置する三個所の中間部部位に、各シート片１２〜２０に跨って一直線に延びるように配置されて、それら各シート片１２〜２０に対して縫い付けられている。
【００２８】
すなわち、ここでは、大型シート片１２の幅方向両側の重合部２２，２４と、かかる大型シート片１２の両サイドに位置して、大型シート片１２の各重合部２２，２４にそれぞれ重ね合わされる小型シート片１４，１６の内側重合部２６，２８とが、各補強テープ３８が配置される各シート片１２，１４，１６の長さ方向の両端部とそれら両端部の間に位置する三個所の部位とにおいて、各補強テープ３８と共に縫い合わされて、接合せしめられている。また、そのような小型シート片１４，１６の外側重合部３０，３２と、それら各小型シート片１４，１６の外側に位置して、かかる小型シート片１４，１６の外側重合部３０，３２にそれぞれ重ね合わされる小型シート片１８，２０の内側重合部３４，３６も、各補強テープ３８が配置される各シート片１４，１６，１８，２０の長さ方向の両端部とそれら両端部の間に位置する三個所の部位とにおいて、各補強テープ３８と共に縫い合わされて、接合せしめられている。なお、補強テープ３８は、例えば、各シート片１２〜２０と同一の材質からなり、且つそれらの厚さよりも大きさな厚さを有していることによって、丈夫に構成されており、それによって、互いに縫い合わされて接合された各シート片１２〜２０の接合部（縫合部）が、縫い合わせによる破れ等が生じないないようになっている。
【００２９】
かくして、５枚のシート片１２〜２０の全てが、互いに重ね合わされる重合部２２〜３６同士において部分的に接合されて、全体として、長手矩形状を呈する、防水性を備えた１枚の養生シート１０として、構成されており、また、このような養生シート１０において、５枚のシート片１２〜２０を接合する接合部が、養生シート１０の長さ方向に所定距離を隔てた位置に、各補強テープ３８に沿って、養生シート１０の幅方向に延びるように形成されているのである。
【００３０】
そして、それによって、かかる養生シート１０にあっては、特に、大型シート片１２の幅方向両側の重合部２２，２４と、それらと重なり合う小型シート片１４，１６の各内側重合部２６，２８との間や、小型シート片１４，１６の各外側重合部３０，３２と、それらと重なり合う小型シート片１８，２０の各内側重合部３４，３６との間において、複数の補強テープ３８の互いに隣り合うもの同士の間に位置する部分のそれぞれが、接合されていない状態とされ、以て、そのような非接合部分が、養生シート１０の裏面と表面とにそれぞれ開口する開口部を備え、それら裏面側開口部と表面側開口部とを通じての風の流れ許容するように構成された通風口４０とされているのである。
【００３１】
このように、本実施形態の養生シート１０においては、その中央に位置する大型シート片１２の幅方向両サイドに、４枚の小型シート片１４〜２０が、２枚ずつ、幅方向に隣り合い、且つ部分的に重なり合って配置された状態で、接合されることにより形成されているところから、幅方向の中央の部分から、幅方向における一方向側の半分の部分が、大型シート片１２の幅方向の半分の部位と２枚の小型シート片１４，１８とにて構成されている。そして、それらのシート片１２，１４，１８が、養生シート１０の幅方向の一方向において互いに隣り合うように並べられ、且つそれら隣り合うシート片１２，１４，１８のうち、養生シート１０の中央部分側に位置するものの端部が、該中央部分側とは反対側に位置するものの端部の上に重ね合わされた状態で接合されると共に、それらの重合部同士の間に、８個の通風口４０が、長さ方向に４個ずつ、幅方向に２列に並んで、形成されて、第一接合シート部分４２とされている。
【００３２】
一方、養生シート１０の残りの半分の部分は、大型シート片１２における幅方向の一方向とは反対側の半分の部位と２枚の小型シート片１６，２０とにて構成されている。そして、それらのシート片１２，１６，２０が、一方向とは反対方向において互いに隣り合うように並べられ、且つそれら隣り合うシート片１２，１６，２０のうち、養生シート１０の中央部分側に位置するものの端部が、該中央部分側とは反対側に位置するものの端部の上に重ね合わされた状態で接合されると共に、それらの重合部同士の間に、８個の通風口４０が、長さ方向に４個ずつ、幅方向に２列に並んで、形成されて、第二接合シート部分４４とされている。
【００３３】
また、このような第一接合シート部分４２と第二接合シート部分４４とからなる養生シート１０にあっては、第一接合シート部分４２と第二接合シート部分４４との境界部分となる大型シート片１２の幅方向中央部位と、それら第一及び第二接合シート部分４２，４４の幅方向における大型シート片１２の中央部位側とは反対側の端縁部とに、各シート片１２〜２０を接合するものとは別の補強テープ３８が、それらの全長に亘って縫い付けられている。つまり、ここでは、養生シート１０の幅方向両側の端縁部と、幅方向の中央部と、長さ方向両側の端縁部と、長さ方向の中央部と、長さ方向中央部と端縁部との二個所の中間部位とに、補強テープ３８が、それぞれ、それらの全長に亘って縫い付けられており、それによって、前述せる如く、各シート片１２〜２０が接合されると共に、養生シート１０全体が、補強されている。
【００３４】
そして、かかる養生シート１０においては、補強テープ３８が縫い付けられた四つの端縁部（幅方向両側の端縁部と長さ方向両側の端縁部）のそれぞれに、多数の鳩目４６が、各端縁部の長さ方向において互いに一定の間隔を開けて設けられている。また、それら四つの端縁部のうち、幅方向両側に位置する二つの端縁部には、所定のテープや紐、或いは金属製や合成樹脂製のリング等からなる取付リング４８の複数が、各端縁部の長さ方向において互いに所定の間隔を隔てて、配設されており、更に、それら各取付リング４８には、例えばロープやワイヤ等に対して容易に引っ掛けられて、係合せしめられるフック金具５０が、一つずつ、取り付けられている。更にまた、第一接合シート部分４２と第二接合シート部分４４との境界部分たる大型シート片１２の幅方向中央部位における補強テープ３８が縫い付けられた部分にも、幅方向両側端縁部に設けられたフック金具５０付きの取付リング４８が、大型シート片１２の長さ方向において互いに所定距離を隔てて、配設されている。
【００３５】
而して、かくの如き構造とされた養生シート１０にあっては、図３に示されるように、大型シート片１２の幅方向の中央における前記補強テープ３８の配設部位が、水平方向に延びる頂部部位５２となる山形を呈するように、表面を上にして、折り曲げられ、また、そのような状態下で、図示しない、未だ屋根のない建造中の家屋の上部を覆って配置せしめられることにより、かかる家屋に対して、水平に延びる頂部部位５２を境にして両側に流れる切妻構造の仮設屋根を形成し、以て、その家屋を保護し得るようになっているのである。
【００３６】
また、ここでは、そのような養生シート１０による仮設屋根の形成に際して、建造中の家屋を取り囲んで組み立てられる建築用足場における複数の支柱５４のうち、養生シート１０からなる仮設屋根を間に挟んで、養生シート１０の長さ方向（図３中、左右方向）の両側にそれぞれ位置せしめられた２本の支柱５４ａ，５４ｂの間に、センターワイヤ５６が、仮設屋根よりも上側において水平に延びるように架設されると共に、かかる２本の支柱５４ａ，５４ｂのそれぞれの両サイドに位置せしめられた合計４本の支柱５４ｃ〜５４ｆの互いに対応するもの同士の間に、サイドワイヤ５８が、仮設屋根の側方において水平に延びるように、それぞれ、１本ずつ架設される。そして、仮設屋根の頂部部位５２を与える養生シート１０の中央部、つまり、接合シート部分４２と第二接合シート部分４４との境界部分に取付リング４８を介して配設された複数のフック金具５０が、センターワイヤ５６にそれぞれ引っ掛けられて、係合せしめられることにより、養生シート１０における第一及び第二接合シート部分４０，４２の境界部分が、センターワイヤ５６に取り付けられる一方、それら第一及び第二接合シート部分４２，４４の幅方向の各端縁部に取付リング４８を介して配設された複数のフック金具５０が、２本のサイドワイヤ５８，５８に対して、それぞれ引っ掛けられて、係合せしめられることにより、第一及び第二接合シート部分４２，４４の幅方向の各端縁部が、各サイドワイヤ５８に取り付けられるようになっている。このこと明らかなように、本実施形態では、養生シート１０における第一及び第二接合シート部分４２，４４の境界部分と、それら第一及び第二接合シート部分４２，４４の境界部分側とは反対側の端縁部とに、それぞれ設けられた複数の取付リング４８とフック金具５０とにて、取付部が、構成されている。
【００３７】
なお、必要に応じて、養生シート１０の四つの端縁部にそれぞれ設けられた複数の鳩目４６に紐やロープ等を取り付けて、この紐やロープを、建築用足場の適当な支柱５４に縛り付けるようにしても良い。それによって、養生シート１０からなる仮設屋根が、建築用足場の支柱５４に対して、より確実に取り付けられ得る。
【００３８】
かくして、本実施形態では、単に、養生シート１０の中央部と幅方向の両端縁部とに設けられた複数のフック金具５０を、仮設屋根が形成されるべき建造中の家屋の上部に架設された３本のワイヤ５６，５８，５８に引っ掛けるだけで、切妻構造の仮設屋根が、建造中の家屋に対して、養生シート１０により、安定した形状をもって、容易に形成され得るようになっており、また、そのような仮設屋根の形成状態下で、水平に延びる頂部部位５２を境にして両側に流れる仮設屋根の一方側（図３中、紙面の奥側）に流れる屋根部分が、第一接合シート部分４２にて与えられる一方、かかる仮設屋根の他方側（図３中、紙面の手前側）に流れる屋根部分が、第二接合シート部分４４にて与えられるようになっている。
【００３９】
そして、そのような仮設屋根の一方側に流れる屋根部分を与える第一接合シート部分４２においては、それを構成する大型シート片１２の半分の部位と、２枚の小型シート片１４，１８とが、かかる屋根部分の流れ方向において互いに隣り合うように並べられ、且つそれら隣り合うシート片１２，１４，１８のうち、頂部部位５２側に位置するものの端部が、頂部部位５２側とは反対側に位置するものの端部の上に重ね合わされた状態で接合されると共に、それらの重合部同士の間に、複数（ここでは８個）の通風口４０が、バランス良く配設されるようになっている。一方、仮設屋根の他方側に流れる屋根部分を与える第二接合シート部分４４にあっても、それを構成する大型シート片１２の残りの半分の部位と、２枚の小型シート片１６，２０とが、かかる屋根部分の流れ方向において互いに隣り合うように並べられ、且つそれら隣り合うシート片１２，１６，２０のうち、頂部部位５２側に位置するものの端部が、頂部部位５２側とは反対側に位置するものの端部の上に重ね合わされた状態で接合されると共に、それらの重合部同士の間に、複数（ここでは８個）の通風口４０が、バランス良く配設されるようになっている。
【００４０】
そして、かくの如くして、養生シート１０にて形成された仮設屋根にあっては、図３に矢印で示されるように、養生シート１０の裏面側に入り込んだ風が、第一接合シート部分４２や第二接合シート部分４４にそれぞれ複数設けられた通風口４０を通じて、養生シート１０の表面側に抜け得るようになっている。
【００４１】
このように、本実施形態の養生シート１０にあっては、未だ屋根のない建造中の家屋を覆って保護する切妻構造の仮設屋根として用いられた際に、仮設屋根の裏側から表側への風抜けを行わしめる通風口４０が、両側の屋根部分に、複数設けられるようになっているところから、かかる仮設屋根の形成状態下で、強風にあおられても、その風が、各通風口４０を通じて、裏側から表側に向かって確実に抜けることとなり、それによって、バタツキ音等の騒音の発生が抑制され得ると共に、風で吹き飛ばされるようなことも、有利に防止され得る。
【００４２】
また、かかる養生シート１０においては、各通風口４０が、互いに隣り合うシート片１２〜２０の互いに重ね合わされる重合部２２〜３６同士の間に形成され、しかも、それら隣り合うシート片１２〜２０のうち、仮設屋根の頂部部位５２側に位置するものが、かかる頂部部位５２側とは反対側に位置するものの上に重ね合わされるようになっているため、仮設屋根として利用された際に、かかる仮設屋根に降り注ぐ雨水や、仮設屋根の表面を伝って流れ落ちる雨水等が、通風口４０を通じて仮設屋根の裏側に浸入するようなことも、有利に防止され、それによって、建造中の家屋が雨水によって濡れてしまうようなことも、効果的に回避せしめられ得る。
【００４３】
しかも、かかる養生シート１０においては、穿設作業を何等行うことなく、単に、５枚のシート片１２〜２０を、所定の端部同士において重ね合わせて、その重合部２２〜３６同士を部分的に接合するだけで、裏面側から表面側への風抜けを行わしめる通風口４０が設けられるようになっているところから、例えば、そのような通風口４０を穿設した上で、かかる通風口４０を通じての雨水の浸入を防ぐために、各通風口４０を塞ぐ閉塞部材等を設ける場合に比して、通風口４０の形成、ひいては養生シート１０全体の製作作業の効率化が、極めて有効に図られ得る。
【００４４】
従って、かくの如き本実施形態の養生シート１０にあっては、強風にあおられて、騒音を発生したり、吹き飛ばされたりするようなことなく、未だ屋根のない建造中の家屋を風雨から確実に保護し得る仮設屋根として、極めて有利に利用され得るのであり、その上、高い製作性が具備され得るといった、従来の養生シートにに見られない、優れた特徴が、効果的に発揮され得るのである。
【００４５】
また、本実施形態に係る養生シート１０においては、切妻構造の仮設屋根として利用した際に、両側の屋根部分が、第一接合シート部分４２と第二接合シート部分４４とにて、それぞれ構成されて、それら両側の屋根部分に、複数の通風口４０がバランス良く形成されるようになっているところから、より優れた通風性が発揮され得、それによって、強風による騒音の発生や崩壊が、より効果的に防止され得る。
【００４６】
さらに、かかる養生シート１０では、幅方向の中央部分と両側端縁部に、フック金具５０付きの取付リング４８が、それぞれ複数設けられており、それらの取付リング４８のフック金具５０が、建造中の家屋の上部に架設された１本のセンターワイヤ５６と２本のサイドワイヤ５８，５８とに引っ掛けられて、係合せしめられることにより、幅方向の中央部分と両側端縁部とが、それらのワイヤ５６，５８に取り付けられて、切妻構造の仮設屋根が安定的に形成され得るようになっているところから、仮設屋根の作製作業の容易化を、有利に図ることが出来る。
【００４７】
以上、本発明の具体的な構成について詳述してきたが、これはあくまでも例示に過ぎないのであって、本発明は、上記の記載によって、何等の制約をも受けるものではない。
【００４８】
すなわち、前記実施形態では、養生シート１０の幅方向の半分ずつが、それぞれ、所定部位において重ね合わされた複数のシート片１２〜２０を、それぞれの重合部２２〜３６において部分的に接合して、複数の通風口４０を形成せしめてなる第一接合シート部分４２と第二接合シート部分４４とにて、構成されていたが、例えば、養生シート１０の幅方向の一方側の半分の部位のみを、第一接合シート部分４２か若しくは第二接合シート部分４４にて構成して、養生シート１０の幅方向の一方側の半分の部位のみに、複数の通風口４０を形成する一方、残りの半部の部位には、通風口４０を設けないようにすることも、可能である。また、養生シート１０の長さ方向の一部を占める部位のみを、通風口４０を有する接合シート部分にて構成しても良い。即ち、本発明においては、養生シートの少なくとも一部が、通風口を有する接合シート部分にて構成されておれば良いのである。
【００４９】
また、そのような通風口４０の配設個数や配設位置は、例示のものに、何等限定されるものでないことは、言うまでもないところである。
【００５０】
さらに、第一接合シート部分４２や第二接合シート部分４４を与えるシート片１２〜２０の枚数や形状、大きさ等も、前記実施形態に示されるものに、決して限定されるものでないことは、勿論である。
【００５１】
更にまた、前記実施形態では、第一接合シート部分４２や第二接合シート部分４４を与えるシート片１２〜２０の互いに重ね合わされる重合部２２〜３６同士が、補強テープ３８の配設部位において、かかる補強テープ３８と共に縫い合わされることにより、部分的に接合されるようになっていたが、この重合部２２〜３６同士の接合構造も、特に限定されるものではなく、例えば、補強テープ３８を用いることなく縫い合わせたり、或いは接着剤等で接着したり、リベット等を用いて固着したりして、接合する構造等が、適宜に採用され得る。
【００５２】
また、前記実施形態において、フック金具５０付きの取付リング４８にて構成される取付部は、本発明において何等必須のものではないが、そのような取付部を設ける場合、かかる取付部は、養生シート１０の幅方向中央部位と幅方向両側の端部とを、他の部材に取り付け得るものであれば、その構造が、特に限定されるものではなく、例えば、他の部材に縛り付けたり、引っ掛けたりして、取り付けられ得るような、単なる紐やロープ、針金等にて構成しても、何等差し支えない。
【００５３】
さらに、そのような取付部が取り付けられる部材も、例示のワイヤの他、ロープや適当な棒材や管材等、建造中の建物の上部において水平に延びるように配設可能な部材が、適当に用いられる。
【００５４】
加えて、前記実施形態では、本発明を、未だ屋根のない建造中の家屋に対して、仮設屋根を形成するように配置される養生シートに適用したものの具体例を示したが、本発明は、その他、家屋以外の建造中の建物に対して、仮設屋根を形成するように配置される養生シートの何れに対しても、有利に適用され得ることは、勿論である。
【００５５】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００５６】
【図１】本発明に従う養生シートの一例を示す正面説明図である。
【図２】図１におけるII−II断面拡大説明図である。
【図３】図１に示された養生シートの使用状態を示す説明図である。
【符号の説明】
【００５７】
１０  養生シート
１２  大型シート片
１４，１６，１８，２０  小型シート片
２２，２４，２６，２８，３２，３４，３６  重合部
４０  通風口
４２  第一接合シート部分
４４  第二接合シート部分
４８  取付リング
５０  フック金具
５２  頂部部位
５６  センターワイヤ
５８  サイドワイヤ
【図１】
2005213988.tif 000003
【図２】
2005213988.tif 000004
【図３】
2005213988.tif 000005